(57)【要約】  レシーバは、高データ速度と低データ速度との両方の送信を復調する性能がある。アンテナ（３６）は、受信される信号として高データ速度および低データ速度の送信を受信する。干渉キャンセル装置（３８、４０）は、受信された信号から少なくとも１つの共有／共通チャネルのコントリビューションをキャンセルして、第一の干渉がキャンセルされた信号を生成する。高データ速度または低データ速度のうちの１つのデータを検出する第一データ検出器は、第一の干渉がキャンセルされた信号を処理することによって送信する。１つの検出されたデータをキャンセルする干渉キャンセル装置は、第一の干渉がキャンセルされた信号から送信して、第二の干渉がキャンセルされた信号を生成する。
2008503190.tif 000002
【特許請求の範囲】
【請求項１】
高データ速度および低データ速度の送信の両方を復調することができるレシーバであって、
受信される信号として、高データ速度および低データ速度の送信を受信するアンテナと、
第一の干渉がキャンセルされる信号を生成して、前記受信された信号から少なくとも１つの共有／共通チャネルについてのコントリビューションをキャンセルする干渉キャンセラ装置と、
前記第一の干渉がキャンセルされる信号を生成することにより、前記高データ速度または低データ速度の送信のうちの１つのデータを検出する第一データ検出器と、
第二の干渉がキャンセルされる信号を生成して、前記第一の干渉がキャンセルされる信号から前記送信のうちの１つの検出されたデータをキャンセルする干渉キャンセラ装置と、
前記第二の干渉がキャンセルされる信号から前記高データ速度または低データ速度のうちのもう一方のデータを検出する第二データ検出器と
を備えたことを特徴とするレシーバ。
【請求項２】
前記送信のうちの１つの検出されたデータは、前記低データ速度の送信のデータから検出されることを特徴とする請求項１に記載のレシーバ。
【請求項３】
前記低データ速度の送信の検出されたデータは、複数のセルからの低データ速度の送信であり、前記複数のセルからの低データ速度の送信の検出されたデータは、組み合わされ、前記複数セルの低データ速度の検出されたデータの１つを使用して、前記第一の干渉がキャンセルされる信号を生成することを特徴とする請求項２に記載のレシーバ。
【請求項４】
前記送信のうちの１つの検出されたデータは、前記高データ速度の送信のデータから検出されることを特徴とする請求項１に記載のレシーバ。
【請求項５】
前記高データ速度の送信の複数のセルの各々のデータを検出し、各セルに対して、該セルの高データ速度の送信を、前記セルの低データ速度のデータの検出の前に、前記受信された信号からキャンセルし、
各セルの前記検出された低データ速度のデータを組み合わせるコンバイナをさらに備えたことを特徴とする請求項４に記載のレシーバ。
【請求項６】
前記レシーバは、Ｗ−ＣＤＭＡ  ＦＤＤ送信を受信し、前記低データ速度の送信は、ＤＰＣＨの送信であり、前記高データ速度の送信は、ＨＳＤＰＡの送信であることを特徴とする請求項１に記載のレシーバ。
【請求項７】
前記少なくとも１つの共有／共通チャネルは、ＰＩＣＨ、ＣＰＩＣＨ、Ｐ−ＣＣＰＣＨ、Ｓ−ＣＣＰＣＨ、および高速共有制御チャネルの少なくとも１つであることを特徴とする請求項６に記載のレシーバ。
【請求項８】
前記レシーバは、ＣＤＭＡ２０００送信を受信し、前記低データ速度の送信は、専用チャネルの送信であり、前記高データ速度の送信は、Ｆ−ＰＤＣＨの送信であることを特徴とする請求項１に記載のレシーバ。
【請求項９】
前記少なくとも１つの共有／共通チャネルは、パイロットチャネル、同期チャネル、ページングチャネル、報知制御チャネル、下り共通制御チャネル、共通割当チャネル、および下り専用制御チャネルの少なくとも１つであることを特徴とする請求項８に記載のレシーバ。
【請求項１０】
ワイヤレス送受信ユニットに使用することを特徴とする請求項１に記載のレシーバ。
【請求項１１】
基地局に使用することを特徴とする請求項１に記載のレシーバ。
【請求項１２】
前記干渉キャンセラ装置と、前記第一および第二データ検出器とを、集積回路により実装することを特徴とする請求項１に記載のレシーバ。
【請求項１３】
高データ速度および低データ速度の送信の両方を復調することができるレシーバであって、
受信される信号として、高データ速度および低データ速度の送信を受信するアンテナ手段と、
第一の干渉がキャンセルされる信号を生成して、前記受信された信号から少なくとも１つの共有／共通チャネルについてのコントリビューションをキャンセルする干渉キャンセル手段と、
前記第一の干渉がキャンセルされる信号を生成することにより、前記高データ速度または低データ速度の送信のうちの１つのデータを検出する第一データ検出手段と、
第二の干渉がキャンセルされる信号を生成して、前記第一の干渉がキャンセルされる信号から前記送信のうちの１つの検出されたデータをキャンセルする干渉キャンキャンセル手段と、
前記第二の干渉がキャンセルされる信号から前記高データ速度または低データ速度のうちのもう一方のデータを検出する第二データ検出手段と
を備えたことを特徴とするレシーバ。
【請求項１４】
前記送信のうちの１つの検出されたデータは、前記低データ速度の送信のデータから検出されることを特徴とする請求項１３に記載のレシーバ。
【請求項１５】
前記低データ速度の送信の検出されたデータは、複数のセルからの低データ速度の送信であり、前記複数のセルからの低データ速度の送信の検出されたデータは、組み合わされ、前記複数セルの低データ速度の検出されたデータの１つを使用して、前記第一の干渉がキャンセルされる信号を生成することを特徴とする請求項１４に記載のレシーバ。
【請求項１６】
前記送信のうちの１つの検出されたデータは、前記高データ速度の送信のデータから検出されることを特徴とする請求項１４に記載のレシーバ。
【請求項１７】
前記高データ速度の送信の複数のセルの各々のデータを検出し、各セルに対して、該セルの高データ速度の送信を、前記セルの低データ速度のデータの検出の前に、前記受信された信号からキャンセルし、
各セルの前記検出された低データ速度のデータを組み合わせるコンバイナをさらに備えたことを特徴とする請求項１６に記載のレシーバ。
【請求項１８】
前記レシーバは、Ｗ−ＣＤＭＡ  ＦＤＤ送信を受信し、前記低データ速度の送信は、ＤＰＣＨの送信であり、前記高データ速度の送信は、ＨＳＤＰＡの送信であることを特徴とする請求項１３に記載のレシーバ。
【請求項１９】
前記少なくとも１つの共有／共通チャネルは、ＰＩＣＨ、ＣＰＩＣＨ、Ｐ−ＣＣＰＣＨ、Ｓ−ＣＣＰＣＨ、および高速共有制御チャネルの少なくとも１つであることを特徴とする請求項１８に記載のレシーバ。
【請求項２０】
前記レシーバは、ＣＤＭＡ２０００送信を受信し、前記低データ速度の送信は、専用チャネルの送信であり、前記高データ速度の送信は、Ｆ−ＰＤＣＨの送信であることを特徴とする請求項１３に記載のレシーバ。
【請求項２１】
前記少なくとも１つの共有／共通チャネルは、パイロットチャネル、同期チャネル、ページングチャネル、報知制御チャネル、下り共通制御チャネル、共通割当チャネル、および下り専用制御チャネルの少なくとも１つであることを特徴とする請求項２０に記載のレシーバ。
【請求項２２】
ワイヤレス送受信ユニットに使用することを特徴とする請求項１３に記載のレシーバ。
【請求項２３】
基地局に使用することを特徴とする請求項１３に記載のレシーバ。
【請求項２４】
前記干渉キャンセラ装置と、前記第一および第二データ検出器とを、集積回路により実装することを特徴とする請求項１３に記載のレシーバ。
【請求項２５】
高データ速度および低データ速度の送信の両方を復調することができるレシーバであって、該レシーバは、複数のセルまたはセクタからの前記低データ速度の送信を受信し、前記レシーバは、
受信される信号として、高データ速度および低データ速度の送信を受信するアンテナと、
各々のセルまたはセクタについて低データ速度の送信のデータを、各々が検出する複数の低データ速度のデータ検出器と、
組み合わされた低データ速度のデータとして、前記複数の低データ速度のデータ検出器の出力を組み合わせるコンバイナと、
前記受信された信号から前記複数の低データ速度のデータ検出器のうちの１つの出力のコントリビューションをキャンセルする干渉キャンセラ装置と、
該干渉キャンセラ装置の出力から高データ速度のデータを検出する高データ速度のデータ検出器と
を備えたことを特徴とするレシーバ。
【請求項２６】
前記低データ速度のデータ検出器の出力は、組み合わされる前にタイムアラインメントされることを特徴とする請求項２５に記載のレシーバ。
【請求項２７】
高データ速度および低データ速度の送信の両方を復調することができるレシーバであって、該レシーバは、複数のセルまたはセクタからの前記高データ速度および低データ速度の送信を受信し、前記レシーバは、
受信される信号として、高データ速度および低データ速度の送信を受信するアンテナと、
各々のセルまたはセクタについて、
各々のセルまたはセクタの高データ速度のデータを検出する高データ速度のデータ検出器と、
前記受信された信号から前記高データ速度のデータ検出器の出力のコントリビューションをキャンセルする干渉キャンセラ装置と、
該干渉キャンセラ装置の出力から低データ速度のデータを検出する低データ速度のデータ検出器と、
前記セルまたはセクタについて、複数の前記低データ速度のデータ検出器の出力を組み合わせ、組み合わされた低データ速度のデータを生成するコンバイナと
を備えたことを特徴とするレシーバ。
【請求項２８】
前記低データ速度のデータ検出器の出力は、組み合わされる前にタイムアラインメントされることを特徴とする請求項２７に記載のレシーバ。
【発明の詳細な説明】
【技術分野】
【０００１】
本発明は、一般には、ワイヤレス通信システムに関し、より詳細には、低データ速度および高データ速度の環境において信号を復調することに関する。
【背景技術】
【０００２】
音声とデータとの両方のサービスを求める要求が増加するので、システムを、音声とデータとの両方の媒体をよりよくサポートするために開発中である。ひとつのそのようなシステムは、ＵＭＴＳ（Ｕｎｉｖｅｒｓａｌ  Ｍｏｂｉｌｅ  Ｔｅｒｒｅｓｔｒｉａｌ  Ｓｙｓｔｅｍ）  Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信システムである。Ｒ４（Ｒｅｌｅａｓｅ  ９９）においてなど、ＦＤＤ（Ｆｒｅｑｕｅｎｃｙ  Ｄｉｖｉｓｉｏｎ  Ｄｕｐｌｅｘ）モードにおいて、通常、音声通信は、ＤＣＨ（Ｄｅｄｉｃａｔｅｄ  ＣＨａｎｎｅｌ）を使用して送信される。別の上述のようなシステム、ＣＤＭＡ２０００において、通常、音声通信は、ＤＣＨを使用して送信される。データを、種々のチャネルによって送信することができるが、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）は、ひとつのＷ−ＣＤＭＡアプローチであり、および高速パケットチャネルは、高データ速度のダウンリンク送信をサポートするＣＤＭＡ２０００アプローチである。
【０００３】
【特許文献１】米国仮出願，「信号分離のためのマトリックス作成（Ｃｒｅａｔｉｏｎ  ｏｆ  Ｍａｔｒｉｃｅｓ  ｆｏｒ  Ｓｉｇｎａｌ  Ｓｅｐａｒａｔｉｏｎ）」，２００５年６月８日申請
【発明の開示】
【発明が解決しようとする課題】
【０００４】
したがって、上述のようなシステムにおけるレシーバに対して、両方のチャネル型を復調する性能があることが望ましい。
【課題を解決するための手段】
【０００５】
レシーバは、高データ速度および低データ速度の送信の両方を復調する性能がある。アンテナは、受信される信号として、高データ速度および低データ速度の送信を受信する。干渉キャンセラ装置は、第一の干渉がキャンセルされる信号を生成して、受信された信号から少なくとも１つの共有／共通チャネルについてのコントリビューション（ｃｏｎｔｒｉｂｕｔｉｏｎ）をキャンセルする。高データ速度または低データ速度のうちのひとつのデータを検出する第一データ検出器は、第一の干渉がキャンセルされる信号を生成することによって送信する。高データ速度または低データ速度のうちの１つについての検出されるデータをキャンセルする干渉キャンセラ装置は、第二の干渉がキャンセルされる信号を生成して、信号をキャンセルする。高データ速度または低データ速度のうちのもう一方についてのデータを検出する第二データ検出器は、第二の干渉がキャンセルされる信号から送信する。
【発明を実施するための最良の形態】
【０００６】
本発明の特徴および要素は、特有の組合せにおける望ましい実施形態において説明されるが、各特徴および要素を、単独において（望ましい実施形態の他の特徴および要素なしに）または本発明の他の特徴および要素の有無に関わらず種々の組合せにおいて使用することができる。
【０００７】
本明細書において以後、ＷＴＲＵ（Ｗｉｒｅｌｅｓｓ  Ｔｒａｎｓｍｉｔ／Ｒｅｃｅｉｖｅ  Ｕｎｉｔ）は、制限されないが、ユーザ装置、移動局、固定もしくは移動の加入者装置、ページャまたはワイヤレス環境において作動する性能がある他のあらゆる類の装置を含む。本明細書において以後、引用する場合、基地局は、制限されないが、ノードＢ、サイトコントローラ、アクセスポイントまたはワイヤレス環境における他のあらゆる類のインターフェース装置を含む。以下の実施形態は、Ｗ−ＣＤＭＡおよびＣＤＭＡ２０００に関連して説明されるが、以下の実施形態を、複数の送信データ速度を有する他のワイヤレスシステムに適用することができる。
【０００８】
図１は、ＦＤＤ（Ｆｒｅｑｕｅｎｃｙ  Ｄｉｖｉｓｉｏｎ  Ｄｕｐｌｅｘ）  Ｗ−ＣＤＭＡまたはＣＤＭＡ２０００の専用チャネル通信などの低データ速度と、ＦＤＤ  ＨＳＤＰＡまたはＣＤＭＡ２０００の高速パケット通信などの高データ速度との両方を処理するシステムについての簡略化された図を例示する。トランスミッタにおいて、低データ速度（Ｔｘ）２０と高データ速度送信（Ｔｘ）２２との両方は、ベースバンドにおいて、コンバイナ２４により組合わされる。Ｔｘの無線インターフェース２６は、伝播チャネル２８を通じてチャネルを送信する。レシーバ（Ｒｘ）の無線インターフェース３０は、チャネルを受信し、および個々の低データ速度Ｒｘ３２および高データ速度Ｒｘ３４は、通常、低データ速度Ｒｘ３２および高データ速度Ｒｘ３４のそれぞれのデータストリームを復調する。
【０００９】
上述の環境において、考慮に値する干渉およびノイズは、問題を発生し、および低データ速度Ｒｘおよび高データ速度Ｒｘの性能を下げる。例示するために、高データ速度の送信についての特質により、高データ速度の送信は、高い電力レベルにおいて送信される傾向がある。これらの高い電力レベルの送信は、低データ速度の送信に関して著しい干渉を発生することがある。
【００１０】
さらに加えて、ＦＤＤおよびＣＤＭＡ２０００の両方の専用チャネルは、基地局間のソフトハンドオーバまたは基地局のセクタ間のソフターハンドオーバを用いる。高データ速度のパケット送信は、ソフト／ソフターハンドオーバを用いない。結果として、複数のセルに接するＷＴＲＵは、低データ速度の送信のソフトハンドオーバ中でありそうだが、複数のセルに接するＷＴＲＵは、意図的に１つの基地局からの高データ速度の送信を受信するのみであることがある。高データ速度の送信に関して、他の低データ速度の通信からのセル間干渉が存在するだけでなく、ソフトハンドオーバの送信を含む、他の低データ速度の送信からの著しいセル内干渉も存在する。結果として、高データ速度のチャネル容量は、システムにおいて保持することができる高データ速度のチャネル数も同様に、下がることがある。
【００１１】
図２は、ＷＴＲＵにおける、または潜在的には、ＦＤＤもしくはＣＤＭＡ２０００の専用チャネルなどの低データ速度の送信と、ＨＳＤＰＡもしくはＣＤＭＡ２０００の高速パケットデータなどの高データ速度の送信との両方を処理する基地局における使用のための簡略化されたレシーバである。アンテナ３６またはアンテナアレイは、両方の送信を受信する。干渉キャンセラを使用して、高データ速度Ｒｘの動作より前に干渉およびノイズをキャンセルする。
【００１２】
図３に例示されるとおりに、干渉キャンセラ３８は、受信されるサンプル
【００１３】
【数１】
2008503190.tif 000003
【００１４】
を取得して、干渉およびノイズのコンストラクション（ｃｏｎｓｔｒｕｃｔｉｏｎ）を使用することによって、減算器５０により、干渉およびノイズのコンポーネント（ｃｏｍｐｏｎｅｎｔ）を受信されるサンプル
【００１５】
【数２】
2008503190.tif 000004
【００１６】
からキャンセルする。既知の低データ速度チャネル４６の受信されるベクトル
【００１７】
【数３】
2008503190.tif 000005
【００１８】
へのコントリビューションについての評価が、構成される。前述のチャネルは、高データ速度の送信の基地局からの低データ速度の専用チャネルおよび他チャネル、（ソフトハンドオーバ中などの）他基地局からの低データ速度および高データ速度の送信チャネル、ならびに他の既知のチャネルを含むことができる。さらに、他の未知のチャネルおよびノイズ４８のコントリビューションを、評価かつキャンセルすることができる。図２を参照すると、前述の干渉がキャンセルされる信号は、高データ速度Ｒｘ４２によって処理され、高データ速度のデータ／シンボルを再生する。
【００１９】
さらに、干渉キャンセラを、低データ速度Ｒｘの動作より前に干渉およびノイズをキャンセルするのに使用することができる。図４に例示されるとおりに、干渉キャンセラ５２は、受信されるサンプル
【００２０】
【数４】
2008503190.tif 000006
【００２１】
を取得して、干渉およびノイズのコンストラクションを使用することによって、減算器５８により、干渉およびノイズのコンポーネントを受信されるサンプル
【００２２】
【数５】
2008503190.tif 000007
【００２３】
からキャンセルする。既知の低データ速度チャネル５４の受信されるベクトル
【００２４】
【数６】
2008503190.tif 000008
【００２５】
へのコントリビューションについての評価が、構成される。前述のチャネルは、低データ速度の送信の基地局からの高データ速度のおよび他のチャネル５２、（ソフトハンドオーバ中などの）他基地局からの低データ速度および高データ速度の送信チャネル、ならびに他の既知のチャネルを含むことができる。さらに、他の未知のチャネルおよびノイズ５６のコントリビューションを、評価かつキャンセルすることができる。図２を参照すると、前述の干渉がキャンセルされる信号は、低データ速度Ｒｘ４４によって処理され、高データ速度のデータ／シンボルを再生する。
【００２６】
高データ速度の送信についての潜在的に高い電力レベルのために、高データ速度の送信から評価されるデータを、低データ速度Ｒｘに関して、高データ速度干渉のコンストラクションにおいて使用することができる。反対に、低データ速度の送信から評価されるデータを、高データ速度Ｒｘに関して、低データ速度干渉のコンストラクションにおいて使用することができる。
【００２７】
図５は、低速および高速のデータレシーバの別の実施形態についての簡略化された図である。前述のレシーバの望ましい使用は、ＷＴＲＵにおいてであるが、前述のレシーバは、基地局においてさらに使用することができる。低データ速度および高データ速度の送信は、アンテナ３６またはアンテナアレイにより受信され、および受信されたベクトル
【００２８】
【数７】
2008503190.tif 000009
【００２９】
が生成される。共通／共有チャネル干渉キャンセラ５８は、望まれる低／高データ速度通信上に導入された干渉を共通／共有チャネルからキャンセルする。いくつかの実施形態において、共通／共有チャネル干渉キャンセラ５８を、レシーバ性能における潜在的な劣化により使用することができない。干渉がキャンセルされたベクトル
【００３０】
【数８】
2008503190.tif 000010
【００３１】
が、高速データおよびトラフィック・チャネル・データ検出装置６８により処理されることによって、高速データとトラフィック・チャネル・データとの両方に対してデータを生成する。
【００３２】
図６は、ＦＤＤ  Ｗ−ＣＤＭＡのレシーバに対する共通／共有チャネル干渉キャンセラの実施形態を例示する図である。図６に例示されるとおりに、ＰＩＣＨ（Ｐａｇｉｎｇ  Ｉｎｄｉｃａｔｏｒ  ＣＨａｎｎｅｌ）検出器７０、ＣＰＩＣＨ（Ｃｏｍｍｏｎ  ＰＩｌｏｔ  ＣＨａｎｎｅｌ）検出器７２、Ｐ−ＣＣＰＣＨ（Ｐｒｉｍａｒｙ  Ｃｏｍｍｏｎ  Ｃｏｎｔｒｏｌ  Ｐｈｙｓｉｃａｌ  ＣＨａｎｎｅｌ）検出器８４、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  ＣＨａｎｎｅｌ）検出器８６、および高速共有制御チャネル検出器８８は、それぞれのチャネルに対するデータを検出する。各検出されたチャネルのデータ／シンボルに対して、各検出されたチャネルの受信されたベクトルへのコントリビューションは、それぞれの干渉コンストラクション（ＩＣ；Ｉｎｔｅｒｆｅｒｅｎｃｅ  Ｃｏｎｓｔｒｕｃｔｉｏｎ）装置８０、８２、８４、８６、８８によって生成される。受信されたすべてのチャネルからのコントリビューションは、減算器９０によって受信されたベクトル
【００３３】
【数９】
2008503190.tif 000011
【００３４】
から減算され、干渉がキャンセルされたベクトル
【００３５】
【数１０】
2008503190.tif 000012
【００３６】
を生成する。
【００３７】
共通／共有チャネル干渉キャンセラを、減算する干渉キャンセラとして例示するが、他の干渉キャンセル処理方法を、使用することができる。ＦＤＤ  Ｗ−ＣＤＭＡの共通／共有チャネル干渉キャンセラを、キャンセルが行われている特定のチャネルセットにより例示するが、より少ないチャネルを使用することができ、または追加のチャネルをキャンセルすることができる。ソフト／ソフターハンドオーバ中のレシーバまたはセルの周辺のレシーバに対して、上述のチャネルは、他のセル／セクタからのチャネルを含むことができる。
【００３８】
さらに、図６の実施形態を、ＣＤＭＡ２０００のレシーバに実装することができる。ダウンリンクにおける使用のために、キャンセルされるチャネルは、パイロットチャネル、同期チャネル、ページングチャネル、報知制御チャネル、下り（ｆｏｒｗａｒｄ）共通制御チャネル、共通割当チャネル、および下り専用制御チャネルを潜在的に含むが、前述のチャネルのうちのいくつかは、キャンセルされないことがあり、そして他のＣＤＭＡ２０００のチャネルがキャンセルされることがある。
【００３９】
図７は、Ｗ−ＣＤＭＡのＦＤＤに対する高速データおよびトラフィック・チャネル・データ検出装置に対しての高速チャネルキャンセルについての簡略化された図である。ＨＳＤＰＡデータ検出器９２は、受信されたベクトル
【００４０】
【数１１】
2008503190.tif 000013
【００４１】
または干渉がキャンセルされたベクトル
【００４２】
【数１２】
2008503190.tif 000014
【００４３】
を受信して、ＨＳＤＰＡデータ／シンボルを生成する。ＨＳＤＰＡデータ／シンボルを、ＩＣ９４により処理して、受信されたベクトルに関して、ＨＳＤＰＡチャネルのコントリビューションを生成する。ＨＳＤＰＡチャネルのコントリビューションは、減算器９６によって、受信されたベクトルから減算され、ＨＳＤＰＡがキャンセルされたベクトルを生成する。ＤＰＣＨ（Ｄｅｄｉｃａｔｅｄ  Ｐｈｙｓｉｃａｌ  ＣＨａｎｎｅｌ）データ検出器９８は、ＤＰＣＨデータ／シンボルを、ＨＳＤＰＡ干渉がキャンセルされたベクトルから検出する。
【００４４】
図８は、Ｗ−ＣＤＭＡのＦＤＤに対する高速データおよびトラフィック・チャネル・データ検出装置に対しての専用チャネルキャンセルについての簡略化された図である。ＤＰＣＨデータ検出器１００は、受信されたベクトル
【００４５】
【数１３】
2008503190.tif 000015
【００４６】
または干渉がキャンセルされたベクトル
【００４７】
【数１４】
2008503190.tif 000016
【００４８】
を受信して、ＤＰＣＨデータ／シンボルを生成する。ＤＰＣＨデータ／シンボルを、ＩＣ１０２により処理して、受信されたベクトルに関して、ＤＰＣＨチャネルのコントリビューションを生成する。ＤＰＣＨチャネルのコントリビューションは、減算器１０４によって、受信されたベクトルから減算され、ＤＰＣＨがキャンセルされたベクトルを生成する。ＨＳＤＰＡデータ検出器１０６は、ＨＳＤＰＡデータ／シンボルを、ＨＳＤＰＡ干渉がキャンセルされたベクトルから検出する。
【００４９】
図９は、ソフト／ソフターハンドオーバにおけるＷ−ＣＤＭＡのＦＤＤのデータ検出器に対する高速チャネルキャンセルについての簡略化された図である。図９のデータ検出器は、セル１（セル  セクタ１）からのＨＳＤＰＡ送信およびセル１とセル２と（またはセル  セクタ１とセル  セクタ２と）からのＤＰＣＨ送信を受信している。図９において、各セルに関連付けられた受信されたベクトルを、個々に示す。異なるセルまたはセクタから受信される信号のタイミングは、チップまたはシンボルレベルにおいて調節されないことがあり、およびタイミングにおける前述の分離を、受信されるサンプルの別個のセットとして示すが、いくつかの実装において、受信された１つのベクトルを、（ソフターハンドオーバにおいてなど）用いることができる。
【００５０】
受信されたベクトル
【００５１】
【数１５】
2008503190.tif 000017
【００５２】
または干渉がキャンセルされたベクトル
【００５３】
【数１６】
2008503190.tif 000018
は、セル１（セクタ１）に関連付けられ、および受信されたベクトル
【００５４】
【数１７】
2008503190.tif 000019
【００５５】
または干渉がキャンセルされたベクトル
【００５６】
【数１８】
2008503190.tif 000020
【００５７】
は、セル２（セクタ２）に関連付けられる。ＨＳＤＰＡセル１データ検出器１０８は、ＨＳＤＰＡデータ／シンボルをセル１のＨＳＤＰＡ送信から検出する。ＩＣ１１０は、セル２のＨＳＤＰＡ送信の、セル１のベクトルへのコントリビューションを生成する。ＨＳＤＰＡのセル１のコントリビューションは、減算器１１２によって、セル１の受信されたベクトルから減算され、セル１のＨＳＤＰＡがキャンセルされたベクトルを生成する。ＨＳＤＰＡセル２データ検出器１１６は、ＨＳＤＰＡデータ／シンボルをセル２のＨＳＤＰＡ送信から検出する。ＩＣ１１８は、セル２のＨＳＤＰＡ送信の、セル２のベクトルへのコントリビューションを生成する。ＨＳＤＰＡのセル２のコントリビューションは、減算器１２０によって、セル１の受信されたベクトルから減算され、セル２のＨＳＤＰＡがキャンセルされたベクトルを生成する。
【００５８】
ＨＳＤＰＡの送信は、より高いデータ速度であるので、通常、ＨＳＤＰＡの送信は、より高い送信電力レベルを有する。結果として、ＨＳＤＰＡの送信は、ＤＰＣＨの受信に関して、重大な干渉を作ることがある。しかしながら、別のセルのＨＳＤＰＡ送信を検出かつキャンセルすることの複雑さが追加されるので、他のセル（セル２）からのＨＳＤＰＡ送信のキャンセルは、ある実装において実行されないことがある。
【００５９】
ＤＰＣＨセル１データ検出器１１４は、セル１のＨＳＤＰＡがキャンセルされた信号からデータを検出して、セル１のＤＰＣＨソフトシンボルを生成する。ＤＰＣＨセル２データ検出器１２２は、セル２のＨＳＤＰＡがキャンセルされた信号からデータを検出して、セル２のＤＰＣＨソフトシンボルを生成する。タイムアラインメントおよびコンバイナ１２４は、セル１のソフトシンボルとセル２のソフトシンボルとのタイムアラインメントを行って、タイムアラインメントが行われたセル１のソフトシンボルとセル２とのソフトシンボルとを結合して、結合されたＤＰＣＨシンボル／データを生成する。
【００６０】
図１０は、ソフト／ソフターハンドオーバに対してＷ−ＣＤＭＡのＦＤＤのデータ検出器に対する専用チャネルキャンセルについての簡略化された図である。セル２についての受信されたベクトル
【００６１】
【数１９】
2008503190.tif 000021
【００６２】
または干渉がキャンセルされたベクトル
【００６３】
【数２０】
2008503190.tif 000022
【００６４】
を用いて、ＤＰＣＨセル２データ検出器１２８は、セル２から送信されたＤＰＣＨに対して、ソフトシンボルを生成する。セル１についての受信されたベクトル
【００６５】
【数２１】
2008503190.tif 000023
【００６６】
または干渉がキャンセルされたベクトル
【００６７】
【数２２】
2008503190.tif 000024
【００６８】
を用いて、ＤＰＣＨセル１データ検出器１３０は、セル１から送信されたＤＰＣＨに対して、ソフトシンボルを生成する。タイムアラインメントおよびコンバイナ１３８は、セル１のソフトシンボルとセル２のソフトシンボルとのタイムアラインメントを行って、タイムアラインメントが行われたセル１のソフトシンボルとセル２のソフトシンボルとを結合して、ＤＰＣＨシンボル／データを生成する。
【００６９】
ＩＣ１３２は、セル１のＤＰＣＨシンボルの、セル１のベクトルへのコントリビューションを生成する。セル１のＤＰＣＨコントリビューションは、減算器１３４によって、セル１の受信されたベクトルから減算され、セル１のＤＰＣＨがキャンセルされたベクトルを生成する。ＨＳＤＰＡデータ検出器１３６は、干渉がキャンセルされたベクトルからセル１のＨＳＤＡＰシンボル／データを検出する。代替の構成において、タイムアラインメントおよびコンバイナ１３８により生成されるシンボル（ＤＰＣＨデータ）を、セル１の唯一のＤＰＣＨデータの代わりに、干渉キャンセルにおいて使用することができる。前述のようなアプローチは、干渉キャンセルにおいて使用されるソフトシンボルに追加される精度を提供するが、前述のようなアプローチは、よりいっそうのタイミング調整が、セル１のＤＰＣＨ／ＨＳＤＰＡ受信とセル２のＤＰＣＨ／ＨＳＤＰＡ受信との間のタイミングの差異を克服するのに必要とされるので、前述のようなアプローチの全体にわたる複雑さを追加する。上述の干渉キャンセラは、減算する干渉キャンセラとして説明されるが、他の類の干渉キャンセラを使用することができる。
【００７０】
図５〜１０を、Ｗ−ＣＤＭＡのＦＤＤに関連して説明したが、上述の干渉キャンセラを、低データ速度および高データ速度のチャネルを有する他のワイヤレスシステムに適用することができる。例示するために、上述の図を、ＣＤＭＡ２０００に適用することができ、ここで、Ｆ−ＰＤＣＨ（Ｆｏｒｗａｒｄ  Ｐａｃｋｅｔ  Ｄａｔａ  ＣＨａｎｎｅｌ）は、ＨＳＤＰＡに類似しており、およびＣＤＭＡ２０００の専用チャネルは、ＦＤＤのＤＰＣＨに類似している。
【００７１】
図２〜１０を、集積回路、複数の集積回路、ＬＰＧＡ（Ｌｏｇｉｃａｌ  Ｐｒｏｇｒａｍｍａｂｌｅ  Ｇａｔｅ  Ａｒｒａｙ）、複数のＬＰＧＡ、複数の集積回路についての別個のコンポーネントまたは組合せ、および複数の別個のコンポーネントに実装することができる。
【００７２】
信号を分離しおよび前述の実施形態の干渉キャンセルを効果的に実行するのに使用することができるひとつの処理方法は、参照により組入れられる特許文献１など、ＩＣＡ（Ｉｎｃｒｅｍｅｎｔａｌ  Ｃｏｍｐｏｎｅｎｔ  Ａｎａｌｙｓｉｓ）を用いるが、他の処理方法を用いることができる。前述の処理方法において、ＰＣＡ（Ｐｒｉｎｃｉｐａｌ  Ｃｏｍｐｏｎｅｎｔ  Ａｎａｌｙｓｉｓ）が実行され、分離マトリックスが構成され、統計処理を使用して信号を分離し、および信号解析を実行することにより関心のある信号を決定する。前述のようなアプローチは、ＭＩＭＯ（Ｍｕｌｔｉｐｌｅ  Ｉｎｐｕｔ  Ｍｕｌｔｉｐｌｅ  Ｏｕｔｐｕｔ）、ＳＩＭＯ（Ｓｉｎｇｌｅ  Ｉｎｐｕｔ  Ｍｕｌｔｉｐｌｅ  Ｏｕｔｐｕｔ）、およびＭＩＳＯ（Ｍｕｌｔｉｐｌｅ  Ｉｎｐｕｔ  Ｓｉｎｇｌｅ  Ｏｕｔｐｕｔ）など、複数のアンテナエレメントとともに用いられるのが望ましいことがある。
【図面の簡単な説明】
【００７３】
【図１】低データ速度と高データ速度との両方の通信を処理するシステムの簡略化された図である。
【図２】低データ速度および高データ速度の共通レシーバの簡略化された図である。
【図３】共通レシーバによる使用のための低データ速度干渉／ノイズキャンセラの簡略化された図である。
【図４】共通レシーバによる使用のための高データ速度干渉／ノイズキャンセラの簡略化された図である。
【図５】共通の低データ速度および高データ速度レシーバの簡略化された図である。
【図６】共通／共有チャネル干渉キャンセラの簡略化された図である。
【図７】ＨＳＤＰＡ干渉キャンセル付き共通デモジュレータの簡略化された図である。
【図８】ＤＰＣＨ干渉キャンセル付き共通デモジュレータの簡略化された図である。
【図９】ソフト／ソフターハンドオーバ中のＨＳＤＰＡ干渉キャンセル付き共通デモジュレータの簡略化された図である。
【図１０】ソフト／ソフターハンドオーバ中のＤＰＣＨ干渉キャンセル付き共通デモジュレータの簡略化された図である。
【図１】
2008503190.tif 000025
【図２】
2008503190.tif 000026
【図３】
2008503190.tif 000027
【図４】
2008503190.tif 000028
【図５】
2008503190.tif 000029
【図６】
2008503190.tif 000030
【図７】
2008503190.tif 000031
【図８】
2008503190.tif 000032
【図９】
2008503190.tif 000033
【図１０】
2008503190.tif 000034
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
高データ速度および低データ速度の送信の両方を復調することができるレシーバであって、
受信される信号として、高データ速度および低データ速度の送信を受信するアンテナと、
第一の干渉がキャンセルされる信号を生成して、既知のチャネル干渉およびノイズの評価と未知のチャネル干渉およびノイズの評価とを構成し、前記受信された信号から少なくとも１つの共有／共通チャネルについてのコントリビューションをキャンセルする干渉キャンセラ装置と、
前記第一の干渉がキャンセルされる信号を生成することにより、前記高データ速度または低データ速度の送信のうちの１つのデータを検出する第一データ検出器と、
第二の干渉がキャンセルされる信号を生成して、前記第一の干渉がキャンセルされる信号から前記送信のうちの１つの検出されたデータをキャンセルする干渉キャンセラ装置と、
前記第二の干渉がキャンセルされる信号から前記高データ速度または低データ速度のうちのもう一方のデータを検出する第二データ検出器と
を備えたことを特徴とするレシーバ。
【請求項２】
前記送信のうちの１つの検出されたデータは、前記低データ速度の送信のデータから検出されることを特徴とする請求項１に記載のレシーバ。
【請求項３】
前記低データ速度の送信の検出されたデータは、複数のセルからの低データ速度の送信であり、前記複数のセルからの低データ速度の送信の検出されたデータは、組み合わされ、前記複数セルの低データ速度の検出されたデータの１つを使用して、前記第一の干渉がキャンセルされる信号を生成することを特徴とする請求項２に記載のレシーバ。
【請求項４】
前記送信のうちの１つの検出されたデータは、前記高データ速度の送信のデータから検出されることを特徴とする請求項１に記載のレシーバ。
【請求項５】
前記高データ速度の送信の複数のセルの各々のデータを検出し、各セルに対して、該セルの高データ速度の送信を、前記セルの低データ速度のデータの検出の前に、前記受信された信号からキャンセルし、
各セルの前記検出された低データ速度のデータを組み合わせるコンバイナをさらに備えたことを特徴とする請求項４に記載のレシーバ。
【請求項６】
前記レシーバは、Ｗ−ＣＤＭＡ  ＦＤＤ送信を受信し、前記低データ速度の送信は、ＤＰＣＨの送信であり、前記高データ速度の送信は、ＨＳＤＰＡの送信であることを特徴とする請求項１に記載のレシーバ。
【請求項７】
前記少なくとも１つの共有／共通チャネルは、ＰＩＣＨ、ＣＰＩＣＨ、Ｐ−ＣＣＰＣＨ、Ｓ−ＣＣＰＣＨ、および高速共有制御チャネルの少なくとも１つであることを特徴とする請求項６に記載のレシーバ。
【請求項８】
前記レシーバは、ＣＤＭＡ２０００送信を受信し、前記低データ速度の送信は、専用チャネルの送信であり、前記高データ速度の送信は、Ｆ−ＰＤＣＨの送信であることを特徴とする請求項１に記載のレシーバ。
【請求項９】
前記少なくとも１つの共有／共通チャネルは、パイロットチャネル、同期チャネル、ページングチャネル、報知制御チャネル、下り共通制御チャネル、共通割当チャネル、および下り専用制御チャネルの少なくとも１つであることを特徴とする請求項８に記載のレシーバ。
【請求項１０】
ワイヤレス送受信ユニットに使用することを特徴とする請求項１に記載のレシーバ。
【請求項１１】
基地局に使用することを特徴とする請求項１に記載のレシーバ。
【請求項１２】
前記干渉キャンセラ装置と、前記第一および第二データ検出器とを、集積回路により実装することを特徴とする請求項１に記載のレシーバ。
【請求項１３】
高データ速度および低データ速度の送信の両方を復調することができるレシーバであって、
受信される信号として、高データ速度および低データ速度の送信を受信するアンテナ手段と、
第一の干渉がキャンセルされる信号を生成して、既知のチャネル干渉およびノイズの評価と未知のチャネル干渉およびノイズの評価とを構成し、前記受信された信号から少なくとも１つの共有／共通チャネルについてのコントリビューションをキャンセルする干渉キャンセル手段と、
前記第一の干渉がキャンセルされる信号を生成することにより、前記高データ速度または低データ速度の送信のうちの１つのデータを検出する第一データ検出手段と、
第二の干渉がキャンセルされる信号を生成して、前記第一の干渉がキャンセルされる信号から前記送信のうちの１つの検出されたデータをキャンセルする干渉キャンキャンセル手段と、
前記第二の干渉がキャンセルされる信号から前記高データ速度または低データ速度のうちのもう一方のデータを検出する第二データ検出手段と
を備えたことを特徴とするレシーバ。
【請求項１４】
前記送信のうちの１つの検出されたデータは、前記低データ速度の送信のデータから検出されることを特徴とする請求項１３に記載のレシーバ。
【請求項１５】
前記低データ速度の送信の検出されたデータは、複数のセルからの低データ速度の送信であり、前記複数のセルからの低データ速度の送信の検出されたデータは、組み合わされ、前記複数セルの低データ速度の検出されたデータの１つを使用して、前記第一の干渉がキャンセルされる信号を生成することを特徴とする請求項１４に記載のレシーバ。
【請求項１６】
前記送信のうちの１つの検出されたデータは、前記高データ速度の送信のデータから検出されることを特徴とする請求項１４に記載のレシーバ。
【請求項１７】
前記高データ速度の送信の複数のセルの各々のデータを検出し、各セルに対して、該セルの高データ速度の送信を、前記セルの低データ速度のデータの検出の前に、前記受信された信号からキャンセルし、
各セルの前記検出された低データ速度のデータを組み合わせるコンバイナをさらに備えたことを特徴とする請求項１６に記載のレシーバ。
【請求項１８】
前記レシーバは、Ｗ−ＣＤＭＡ  ＦＤＤ送信を受信し、前記低データ速度の送信は、ＤＰＣＨの送信であり、前記高データ速度の送信は、ＨＳＤＰＡの送信であることを特徴とする請求項１３に記載のレシーバ。
【請求項１９】
前記少なくとも１つの共有／共通チャネルは、ＰＩＣＨ、ＣＰＩＣＨ、Ｐ−ＣＣＰＣＨ、Ｓ−ＣＣＰＣＨ、および高速共有制御チャネルの少なくとも１つであることを特徴とする請求項１８に記載のレシーバ。
【請求項２０】
前記レシーバは、ＣＤＭＡ２０００送信を受信し、前記低データ速度の送信は、専用チャネルの送信であり、前記高データ速度の送信は、Ｆ−ＰＤＣＨの送信であることを特徴とする請求項１３に記載のレシーバ。
【請求項２１】
前記少なくとも１つの共有／共通チャネルは、パイロットチャネル、同期チャネル、ページングチャネル、報知制御チャネル、下り共通制御チャネル、共通割当チャネル、および下り専用制御チャネルの少なくとも１つであることを特徴とする請求項２０に記載のレシーバ。
【請求項２２】
ワイヤレス送受信ユニットに使用することを特徴とする請求項１３に記載のレシーバ。
【請求項２３】
基地局に使用することを特徴とする請求項１３に記載のレシーバ。
【請求項２４】
前記干渉キャンセラ装置と、前記第一および第二データ検出器とを、集積回路により実装することを特徴とする請求項１３に記載のレシーバ。
【請求項２５】
高データ速度および低データ速度の送信の両方を復調することができるレシーバであって、該レシーバは、複数のセルまたはセクタからの前記低データ速度の送信を受信し、前記レシーバは、
受信される信号として、高データ速度および低データ速度の送信を受信するアンテナと、
各々のセルまたはセクタについて低データ速度の送信のデータを、各々が検出する複数の低データ速度のデータ検出器と、
組み合わされた低データ速度のデータとして、前記複数の低データ速度のデータ検出器の出力を組み合わせるコンバイナと、
既知のチャネル干渉およびノイズの評価と未知のチャネル干渉およびノイズの評価とを構成し、前記受信された信号から前記複数の低データ速度のデータ検出器のうちの１つの出力のコントリビューションをキャンセルする干渉キャンセラ装置と、
該干渉キャンセラ装置の出力から高データ速度のデータを検出する高データ速度のデータ検出器と
を備えたことを特徴とするレシーバ。
【請求項２６】
前記低データ速度のデータ検出器の出力は、組み合わされる前にタイムアラインメントされることを特徴とする請求項２５に記載のレシーバ。
【請求項２７】
高データ速度および低データ速度の送信の両方を復調することができるレシーバであって、該レシーバは、複数のセルまたはセクタからの前記高データ速度および低データ速度の送信を受信し、前記レシーバは、
受信される信号として、高データ速度および低データ速度の送信を受信するアンテナと、
各々のセルまたはセクタについて、
各々のセルまたはセクタの高データ速度のデータを検出する高データ速度のデータ検出器と、
既知のチャネル干渉およびノイズの評価と未知のチャネル干渉およびノイズの評価とを構成し、前記受信された信号から前記高データ速度のデータ検出器の出力のコントリビューションをキャンセルする干渉キャンセラ装置と、
該干渉キャンセラ装置の出力から低データ速度のデータを検出する低データ速度のデータ検出器と、
前記セルまたはセクタについて、複数の前記低データ速度のデータ検出器の出力を組み合わせ、組み合わされた低データ速度のデータを生成するコンバイナと
を備えたことを特徴とするレシーバ。
【請求項２８】
前記低データ速度のデータ検出器の出力は、組み合わされる前にタイムアラインメントされることを特徴とする請求項２７に記載のレシーバ。
【手続補正２】
【補正対象書類名】図面
【補正対象項目名】図７
【補正方法】変更
【補正の内容】
【図７】
2008503190.tif 000035
【手続補正３】
【補正対象書類名】図面
【補正対象項目名】図８
【補正方法】変更
【補正の内容】
【図８】
2008503190.tif 000036
【国際調査報告】
2008503190.tif 000037
2008503190.tif 000038